【手続補正書】
【提出日】平成21年9月24日(2009.9.24)
【手続補正１】
【補正対象書類名】特許請求の範囲
【補正対象項目名】全文
【補正方法】変更
【補正の内容】
【特許請求の範囲】
【請求項１】
複数のスピーカ装置を接続可能な音響出力装置であって、
スピーカ装置の位置を計測する計測手段と、
聴取位置と前記複数のスピーカ装置のうちの１つのスピーカ装置の配置位置とを特定する特定手段と、
前記１つのスピーカ装置の配置位置と前記聴取位置とに基づいて他のスピーカ装置の配置位置を算出することにより、前記複数のスピーカ装置の各々の配置位置を決定する決定手段と、
前記決定手段により決定された配置位置にスピーカ装置が配置されたことを前記計測手段による計測結果から検出した場合に、第１通信手段により当該スピーカ装置に識別情報を通知し、配置位置と識別情報の対応を保持する保持手段と、
前記保持手段に保持された識別情報と配置位置の対応に基づいて、前記第１通信手段とは異なる第２通信手段により前記複数のスピーカ装置に音響信号を出力する出力手段とを備えることを特徴とする音響出力装置。
【請求項２】
前記決定手段で決定された配置位置と、前記計測手段で計測されるスピーカ装置の位置とに基づいて、スピーカ装置の配置をガイダンスするガイダンス手段を更に備えることを特徴とする請求項１に記載の音響出力装置。
【請求項３】
前記計測手段は、特定の位置に固定された少なくとも３つの超音波受信器により、スピーカ装置に装着可能な超音波発信器の位置を検出することにより、前記複数のスピーカ装置の各々の位置を計測することを特徴とする請求項１に記載の音響出力装置。
【請求項４】
前記超音波発信器の超音波出力のタイミングを前記第１通信手段を用いて制御することを特徴とする請求項３に記載の音響出力装置。
【請求項５】
前記第２通信手段は、前記複数のスピーカ装置と当該音響出力装置とを共通の伝送路で接続することを特徴とする請求項１に記載の音響出力装置。
【請求項６】
前記第２通信手段は、音声情報をパケットとして前記共通の伝送路上へ送出し、前記パケットにおいて、接続された前記複数のスピーカ装置の各音声情報が前記識別情報に対応付けられて包含されていることを特徴とする請求項５に記載の音響出力装置。
【請求項７】
スピーカ装置の個数及びスピーカ装置の種別を入力する入力手段と、
前記入力手段で入力されたスピーカ装置の個数とスピーカ装置の種別に基づいて前記複数のスピーカ装置の推奨配置図を表示する表示手段とを更に備え、
前記決定手段は、前記推奨配置図におけるスピーカ装置の各位置と前記１つのスピーカ装置の位置と前記聴取位置とに基づいて、前記複数のスピーカ装置の各々の配置位置を決定することを特徴とする請求項２に記載の音響出力装置。
【請求項８】
前記ガイダンス手段は、前記表示手段によって表示された推奨配置図を用いて前記ガイダンスを行うことを特徴とする請求項７に記載の音響出力装置。
【請求項９】
前記特定手段は、特定の位置に固定された少なくとも３つの超音波受信器により、聴取位置に配置された超音波発信器の位置を検出することにより、前記聴取位置を特定することを特徴とする請求項１に記載の音響出力装置。
【請求項１０】
複数のスピーカ装置と制御装置が接続された音響システムであって、
前記制御装置と前記複数のスピーカ装置との間で制御信号を通信する第１通信手段と、
前記制御装置から前記複数のスピーカ装置へ音声信号を送信するための前記第１通信手段とは異なる第２通信手段とを備え、
前記制御装置は、
前記第１通信手段を介してスピーカ装置に装着された発信器に位置検出用の信号を発信させることにより、スピーカ装置の位置を計測する計測手段と、
聴取位置と前記複数のスピーカ装置のうちの１つのスピーカ装置の配置位置とを特定する特定手段と、
前記１つのスピーカ装置の配置位置と前記聴取位置とに基づいて他のスピーカ装置の配置位置を算出することにより、前記複数のスピーカ装置の各々の配置位置を決定する決定手段と、
前記決定手段で決定された配置位置にスピーカ装置が配置されたことを前記計測手段による計測結果から検出した場合に、前記第１通信手段により当該スピーカ装置に識別情報を通知し、配置位置と識別情報の対応を保持する保持手段と、
前記保持手段に保持された識別情報と配置位置の対応に基づいて、前記第２通信手段により前記複数のスピーカ装置に音響信号を出力する出力手段とを備えることを特徴とする音響システム。
【請求項１１】
前記複数のスピーカ装置において、前記第１通信手段と前記第２通信手段、及び前記発信器が各スピーカ装置に内蔵されていることを特徴とする請求項１０に記載の音響システム。
【請求項１２】
前記第１通信手段と前記第２通信手段、及び前記発信器を含む、スピーカ装置とは別体のアダプタ装置が各スピーカ装置に装着されていることを特徴とする請求項１０に記載の音響システム。
【請求項１３】
複数のスピーカ装置を接続可能な音響出力装置の制御方法であって、
スピーカ装置の位置を計測手段が計測する計測工程と、
聴取位置と前記複数のスピーカ装置のうちの１つのスピーカ装置の配置位置とを特定手段が特定する特定工程と、
前記１つのスピーカ装置の配置位置と前記聴取位置とに基づいて他のスピーカ装置の配置位置を算出することにより、前記複数のスピーカ装置の各々の配置位置を決定手段が決定する決定工程と、
前記決定工程で決定された配置位置にスピーカ装置が配置されたことを前記計測工程による計測結果から検出した場合に、第１通信手段により当該スピーカ装置に識別情報を通知し、配置位置と識別情報の対応を保持手段が保持する保持工程と、
前記保持手段に保持された識別情報と配置位置の対応に基づいて、前記第１通信手段とは異なる第２通信手段により前記複数のスピーカ装置に音響信号を出力手段が出力する出力工程とを有することを特徴とする音響出力装置の制御方法。 
【請求項１４】
請求項１３に記載された制御方法の各工程をコンピュータに実行させるための制御プログラム。
【請求項１５】
請求項１３に記載された制御方法の各工程をコンピュータに実行させるための制御プログラムを格納したコンピュータ可読媒体。
【手続補正２】
【補正対象書類名】明細書
【補正対象項目名】００２２
【補正方法】変更
【補正の内容】
【００２２】
上記の目的を達成するための本発明による音響出力装置は以下の構成を備える。即ち、
複数のスピーカ装置を接続可能な音響出力装置であって、
スピーカ装置の位置を計測する計測手段と、
聴取位置と前記複数のスピーカ装置のうちの１つのスピーカ装置の配置位置とを特定する特定手段と、
前記１つのスピーカ装置の配置位置と前記聴取位置とに基づいて他のスピーカ装置の配置位置を算出することにより、前記複数のスピーカ装置の各々の配置位置を決定する決定手段と、
前記決定手段により決定された配置位置にスピーカ装置が配置されたことを前記計測手段による計測結果から検出した場合に、第１通信手段により当該スピーカ装置に識別情報を通知し、配置位置と識別情報の対応を保持する保持手段と、
前記保持手段に保持された識別情報と配置位置の対応に基づいて、前記第１通信手段とは異なる第２通信手段により前記複数のスピーカ装置に音響信号を出力する出力手段とを備える。
【手続補正３】
【補正対象書類名】明細書
【補正対象項目名】００２３
【補正方法】変更
【補正の内容】
【００２３】
また、上記の目的を達成するための本発明による音響出力システムは以下の構成を備える。即ち、
複数のスピーカ装置と制御装置が接続された音響システムであって、
前記制御装置と前記複数のスピーカ装置との間で制御信号を通信する第１通信手段と、
前記制御装置から前記複数のスピーカ装置へ音声信号を送信するための前記第１通信手段とは異なる第２通信手段とを備え、
前記制御装置は、
前記第１通信手段を介してスピーカ装置に装着された発信器に位置検出用の信号を発信させることにより、スピーカ装置の位置を計測する計測手段と、
聴取位置と前記複数のスピーカ装置のうちの１つのスピーカ装置の配置位置とを特定する特定手段と、
前記１つのスピーカ装置の配置位置と前記聴取位置とに基づいて他のスピーカ装置の配置位置を算出することにより、前記複数のスピーカ装置の各々の配置位置を決定する決定手段と、
前記決定手段で決定された配置位置にスピーカ装置が配置されたことを前記計測手段による計測結果から検出した場合に、前記第１通信手段により当該スピーカ装置に識別情報を通知し、配置位置と識別情報の対応を保持する保持手段と、
前記保持手段に保持された識別情報と配置位置の対応に基づいて、前記第２通信手段により前記複数のスピーカ装置に音響信号を出力する出力手段とを備える。
【手続補正４】
【補正対象書類名】明細書
【補正対象項目名】００２４
【補正方法】変更
【補正の内容】
【００２４】
また、上記の目的を達成するための本発明による音響出力装置の制御方法は、
複数のスピーカ装置を接続可能な音響出力装置の制御方法であって、
スピーカ装置の位置を計測手段が計測する計測工程と、
聴取位置と前記複数のスピーカ装置のうちの１つのスピーカ装置の配置位置とを特定手段が特定する特定工程と、
前記１つのスピーカ装置の配置位置と前記聴取位置とに基づいて他のスピーカ装置の配置位置を算出することにより、前記複数のスピーカ装置の各々の配置位置を決定手段が決定する決定工程と、
前記決定工程で決定された配置位置にスピーカ装置が配置されたことを前記計測工程による計測結果から検出した場合に、第１通信手段により当該スピーカ装置に識別情報を通知し、配置位置と識別情報の対応を保持手段が保持する保持工程と、
前記保持手段に保持された識別情報と配置位置の対応に基づいて、前記第１通信手段とは異なる第２通信手段により前記複数のスピーカ装置に音響信号を出力手段が出力する出力工程とを有する。